(57)【特許請求の範囲】
【請求項１】
少なくとも一方のハンドルの支持座用のカバーに可動体の摺接部分を内装し、仕様態様の切替え時、可動体の摺接部分に連設する外端部分をカバーに形成した開口を介して操作すると、可動体が回転して、該可動体の逃し用切欠部分が位置変位すると共に、障害部分がハンドルの取付け軸部に設けた係合部分に重なるように位置し、本来的なプッシュプル仕様から片面的仕様態様に切り替わることを特徴とする錠前におけるハンドルの仕様態様の変換構造。
【請求項２】
請求項１に於いて、可動体は板状に形成され、該板状の外端部分はカバーの周方向に形成した開口に位置していることを特徴とする錠前。
【請求項３】
請求項１に於いて、可動体は、支持座の一側面に摺接する環状の摺接部分を有し、また可動体の逃し用切欠部分は、該摺接部分の内周から半径方向に形成され、一方、ハンドル取付け軸部には、前記切欠部分内に位置する小突起を有する係合鍔が固定されていることを特徴とする錠前におけるハンドルの仕様態様の変換構造。
【請求項４】
少なくとも一方のハンドルの支持座用のカバーに可動体の摺接部分を内装し、仕様態様の切替え時、可動体の摺接部分に連設する外端部分を前記カバーに形成した開口を介して操作すると、可動体が支軸を介して回転して、内端部分に相当する障害部分がハンドルの前記取付け軸部に設けた係合部分に重なるように位置し、本来的なプッシュプル仕様から片面的仕様態様に切り替わることを特徴とする錠前におけるハンドルの仕様態様の変換構造。
【請求項５】
請求項４に於いて、可動体は、長杆状又は長板状のいずれかであることを特徴とする錠前におけるハンドルの仕様態様の変換構造。
【請求項６】
カバーの中心孔の内周から半径外方向にハンドルの係合部分の逃し用切欠部分を形成し、仕様態様の切替え時、該カバーを手で所定量回して、該カバーの逃し用切欠部分が位置変位すると共に、カバーの内周部に相当する障害部分がハンドルの前記取付け軸部に設けた係合部分に重なるように位置し、本来的なプッシュプル仕様から片面的仕様態様に切り替わることを特徴とする錠前におけるハンドルの仕様態様の変換構造。
【請求項７】
カバーの非真円形状の中心孔の内径寸法をハンドルの取付け軸部の外形寸法よりも大きく形成してハンドルの係合部分用の逃し部分とし、仕様態様の切替え時、該カバーを手で所定量回して、該カバーの中心孔の位置を変えると、該中心孔の内周部の障害部分がハンドルの前記取付け軸部に設けた係合部分に重なるように位置し、本来的なプッシュプル仕様から片面的仕様態様に切り替わることを特徴とする錠前におけるハンドルの仕様態様の変換構造。
【発明の詳細な説明】
【技術分野】
【０００１】
本発明は、錠（プッシュプル錠）におけるハンドルの仕様態様の変換構造に関する。
【背景技術】
【０００２】
特許文献１には、図１乃至図３に記載のプッシュプル錠のハンドル機構Ｘが記載されている。なお、ここでは説明の便宜上、特許文献１の用語と符号を用いる。
【０００３】
このハンドル機構Ｘは、内外の支持座４、５に支持軸９を介してそれぞれ枢支された内外の揺動軸７，８と、これらの揺動軸の外端部３０にそれぞれ固定された内外のプッシュプルハンドル１０，１１と、これらのプッシュプルハンドルの操作力により摺動する摺動体１２、１３を錠箱３内に備えたプッシュプル錠２のハンドル機構Ｘに於いて、前記内外の揺動軸７，８の内端軸部３４に互いに直接係合するオス・メス係合部３５．３６を形成し、図３で示すように、内外のハンドル１０，１１のいずれかを「プル」又は「プッシュ」すると、内外の揺動軸７，８の内端軸部３４が、錠箱３内の前記摺動体１２、１３を、錠箱内のバネ部材のバネ力に抗して所定方向へ移動させる。
【０００４】
さらに、特許文献１のプッシュプル錠２の構成を説明する。１は扉、２はラッチを備えたプッシュプル錠、３は錠箱（プッシュプル錠の一部等を省略）、４は内側支持座、５は外側支持座、６は内外の支持座４．５を一体的に連結する複数本の固着具、７は内側ハンドルの軸部に一体的に挿入された内側揺動軸、８は外側ハンドルの軸部に一体的に挿入された外側揺動軸、９は内外の揺動軸或いはハンドルをそれぞれ枢支する支持軸、１０は内側揺動軸７に固着具１６を介して固定される内側ハンドル、１１は外側揺動軸８に固着具１６を介して固定される外側ハンドルである。
【０００５】
内外のハンドル１０、１１は、操作する人を基準とする。すなわち、操作する人を基準として扉１の向こう側に位置するハンドルが外側ハンドルである。したがって、扉１の手前側に位置するハンドルが内側ハンドル１０である。
【０００６】
また、１２は錠箱３内に移動可能に設けられた枠状の第１摺動体、１３は第１摺動体１２内に設けられた第２摺動体、１４は内側化粧カバー、１５は外側化粧カバー、１７は内外の揺動軸７、８に外嵌し、かつ、内外の支持座４、５の環状凹所２５、２５にそれぞれ嵌合する１対の合成樹脂製嵌着鍔である。
【０００７】
さらに、細部的事項について付言する。内外の支持座４．５は、それぞれドーナツ形状に形成され、外側の支持座４の内壁面に一対のメネジを有する連結杆２１が突設されているのに対し、内側の支持座５には、前記メネジ連結杆２１に対向する固着具６用貫通孔２２．２２が形成されている点を除き、その余の構成は略同一である。
【０００８】
すなわち、２３はやや肉厚の環状部で、この環状部２３の中央部には、角型の中心孔２４が形成されている。２５は前記中心孔２４と連通するように環境部２３の中央部の外壁面に形成された環状凹所、２６は支持軸９用の挿入穴である。
【０００９】
また、外側揺動軸７と内側の揺動軸８は、図１、図３で示すように、対応する内側の支持座４と外側の支持座５にそれぞれ支持軸９．９を介して揺動自在に軸支される。内外の揺動軸７．８は、内外の支持座４．５の挿入穴２６にそれぞれ差し込まれた支持軸９．９を介してそれぞれ水平方向に揺動自在である。
【００１０】
上記構成に於いて、内外のハンドル１０，１１をそれぞれ操作する場合、図３で示すように、支持軸９．９を支点にして、矢印で示すように、「プル」又は「プッシュ」することができる。
【００１１】
内外のハンドル１０，１１をそれぞれ操作すると、各揺動軸７，８の内端軸部３４がオス・メスの係合部３５．３６を介して互いに連係していることから、内端軸部３４．３４が共働して、錠箱内の第１摺動体１２又は第２摺動体１３を、図示しないバネ部材のバネ力に抗して所定方向へ移動させる。その結果、扉１を開くことができる。
【００１２】
なお、内外の揺動軸７．８の構成について付言すると、３１は鉢状の小凹所、３２は支持軸用の貫通小孔３３を有する軸中央部である。
【００１３】
ところで、特許文献２、特許文献３には、「扉の取付け場所（例えばドアクローザが必要ない室内扉）を考慮し、ユーザーが錠箱の前板から見える可動体の操作部を操作すると、プッシュプル仕様から片面的仕様（プル仕様、又はプッシュ仕様）へと切り換るプッシュプル錠の具体的構成」が開示されている。
【００１４】
これらの発明は、例えばトイレ、寝室等の室内扉の操作ハンドルをプッシュして当該室内側（向こう側）へ勢い良くプッシュして開扉する場合、また、勝手口の扉を室内側の操作ハンドルを操作して室外側へとプッシュして開扉する場合に於いて、ドアクローザが建具に取付けられていないときに有益である。
【００１５】
その理由は、プッシュプル仕様から片面的仕様（例えばプル仕様）に切り換えると、扉を開ける場合には、一旦手前側にプル操作して扉を開ける必要があるから、扉を向こう側或いは室外側へ勢い良く開扉する事態（お年より等がバランスを崩すこと）を極力防ぐことができるからである。
【特許文献１】特開２００５−２６４４８７号公報
【特許文献２】特開２００４−２１１５２９号公報
【特許文献３】特開２００４−２２５３８４号公報
【発明の開示】
【発明が解決しようとする課題】
【００１６】
本発明の第１の目的は、エンドユーザーが、前板側から操作具を介して可動体を回転すると、簡単にプッシュプル仕様から片面的仕様（プル仕様、又はプッシュ仕様）に切替えることができること。換言すると、仕様の切換えの際に、カバー、ハンドル、支持座等を分解する必要がないことである。第２の目的は、合理的手段（例えば一つの部材や支軸で回転する一つの部材）により、第１の目的を達成することができること。第３の目的は、可動体が安定した状態で切り換る（位置変位）ことである。
【課題を解決するための手段】
【００１７】
本発明の錠前におけるハンドルの仕様態様の変換構造は、少なくとも一方のハンドルの支持座用のカバーに可動体の摺接部分を内装し、仕様態様の切替え時、可動体の摺接部分に連設する外端部分をカバーに形成した開口を介して操作すると、可動体が回転して、該可動体の逃し用切欠部分が位置変位すると共に、障害部分がハンドルの取付け軸部に設けた係合部分に重なるように位置し、本来的なプッシュプル仕様から片面的仕様態様に切り替わることを特徴とする。
【００１８】
また、本発明の錠前におけるハンドルの仕様態様の変換構造は、少なくとも一方のハンドルの支持座用のカバーに可動体の摺接部分を内装し、仕様態様の切替え時、可動体の摺接部分に連設する外端部分をカバーに形成した開口を介して操作すると、可動体が支軸を介して回転して、内端部分に相当する障害部分がハンドルの前記取付け軸部に設けた係合部分に重なるように位置し、本来的なプッシュプル仕様から片面的仕様態様に切り替わることを特徴とする。
【００１９】
また、本発明の錠前におけるハンドルの仕様態様の変換構造は、カバーの中心孔の内周から半径外方向にハンドルの係合部分の逃し用切欠部分を形成し、仕様態様の切替え時、該カバーを手で所定量回して、該カバーの逃し用切欠部分が位置変位すると共に、カバーの内周部に相当する障害部分がハンドルの取付け軸部に設けた係合部分に重なるように位置し、本来的なプッシュプル仕様から片面的仕様態様に切り替わることを特徴とする。
【００２０】
さらに、本発明の錠前におけるハンドルの仕様態様の変換構造は、カバーの非真円形状の中心孔の内径寸法をハンドルの取付け軸部の外形寸法よりも大きく形成してハンドルの係合部分用の逃し部分とし、仕様態様の切替え時、該カバーを手で所定量回して、該カバーの中心孔の位置を変えると、該中心孔の内周部の障害部分がハンドルの前記取付け軸部に設けた係合部分に重なるように位置し、本来的なプッシュプル仕様から片面的仕様態様に切り替わることを特徴とする。
【発明の効果】
【００２１】
（１）独立項に記載の発明は、エンドユーザーが、前板側から、指又は操作具を介して可動体（操作板又はカバー）を回転すると、簡単にプッシュプル仕様から片面的仕様（プル仕様、又はプッシュ仕様）に切替えることができる。
（２）また、合理的手段（例えば一つの部材や支軸で回転する一つの部材）により、第１の目的を達成することができる。
（３）請求項３に記載の発明は、摺接部分が環状（多少、切れている場合も含む）なので、可動体は安定した状態で回転する。
【発明を実施するための最良の形態】
【００２２】
以下、図１乃至図８に示す本発明を実施するための最良の形態（第１実施例）により説明する。なお、第１実施例を説明するに当たって、図１乃至図３に示した従来の一実施例の構成と同一の部材や部分については、同一又は同様の符号を付して重複する説明を割愛する。したがって、例えば図４の同一又は同様の符号は、従来の一実施例の構成を援用することを意味する。
【００２３】
（１）発明の実施の環境
図４は、本発明の主要部をそのまま含む概略断面説明図である。まず、主要部の構成部材を簡単に説明する。４Ａは内側の支持座（以下、「支持座」という）、１４Ａは内側の化粧カバー（以下、「カバー」という）、１０Ａは内側のハンドル（以下、「ハンドル」という）、そして、４１は、本実施例では、カバー１４Ａの内壁面と支持座４Ａの外壁面との間に回転自在に設けた可動体である。
【００２４】
（２）特徴部分
次に、図５は、ハンドル１０Ａの握り部分１０ｂを省略し、ハンドル１０Ａの要部である取付け軸部（ボス部、或いは取付け基端部）３２Ａ及びカバー１４Ａを斜視図で示した概略説明図である。図４及び図５で示すように、本実施例では、カバー１４Ａに内装された可動体４１の外端部分４３がカバー１４Ａの開口５３から突出している。また、図６は、特に、ハンドル１０Ａと、可動体４１と、カバー１４Ａをそれぞれ判り易く示した分解斜視図である。
【００２５】
図４乃至図８から明らかなように、本実施例では、支持座４Ａと、該支持座用のカバー１４Ａと、ハンドル取付け軸部３２Ａに錠箱３内に配設した摺動体１２，１３に対して押圧し得る揺動片（従来例では揺動軸）７，８を有するプッシュプルハンドル（従来例では内外のハンドル）１０，１１とを備えた錠（通称、「プッシュプル」、「ラッチ錠」）２を前提としている。そして、この錠２におけるハンドルの仕様態様の変換構造に特徴がある。付言すれば、ハンドルの仕様態様の変換構造が、取付け座（支持座）側に設けた点に特徴がある。
【００２６】
すなわち、本発明は、少なくとも前記一方のハンドル１０Ａの支持座４Ａとカバー１４Ａとの間に、可動体４１を介在させ、例えば図７の状態から図８に示す仕様態様の切替え時に、前記可動体４１の外端部分４３を前記カバー１４Ａに形成した開口５３を介して、手動又は工具のいずれかで操作すると、前記可動体４１が所定方向へ所要量回転して、該可動体４１の逃し用切欠部分４５が位置変位すると共に、その障害部分４６が、ハンドルの前記取付け軸部３２Ａに設けた係合部分１７ａに重なるように位置し、本来的なプッシュプル仕様から片面的仕様態様に切り替わる。そこで、図６を参照にして、主な部材の具体的構成を説明する。
【００２７】
（３）ハンドル１０Ａ
図６に於いて、３３は支持軸９用の貫通小孔で、この貫通小孔３３には支持軸９が挿入されている。１７Ａはハンドル取付け軸部３２Ａに固定された係合鍔（従来例の嵌着鍔１７に相当）で、この係合鍔１７Ａの外周には、単数又は複数の係合部分１７ａが半径外方向に突出している。係合部分１７ａは、本実施例では、単数の小突起である。
【００２８】
（４）可動体４１
可動体４１は、本実施例では環状板である。可動体４１の板厚、形状、大きさ等は、任意に設計可能である。例えば可動体４１をＣ字形状にするとか、或いは馬蹄形状、或いはまた両腕ないし片腕状形状にするとかである。可動体４１が片面的仕様態様に切り替わる機能を有するのであれば、板厚、形状、大きさ等の設計変更は、発明の効果に影響を与えない微差事項である。
【００２９】
４２は環状の摺接部分で、この摺接部分４２は、例えば支持座４１Ａの外壁面とカバー１４Ａの内壁面との間に介在する。実施例の摺接部分４２は、板状のドーナツ形状であることから、外周４２ａと内周４２ｂとを有している。
【００３０】
しかして、本実施例では、前記外周４２ａにカバー１４Ａの周方向に形成した開口５３に位置する突起状の外端部分４３が形成されている。この外端部分４３は、前記開口５３から多少突出し、例えば摘み部としての機能を有する。ここで「開口５３に位置」とは、外端部分４３を外部から操作可能な範囲内に位置することを意味する。したがって、外端部分４３が開口から突出する場合のみならず、外端部分４３が開口に臨む場合も含まれる。
【００３１】
一方、ハンドル用の遊嵌合孔４４を形成する前記内周４２ｂの適宜箇所には、可動体の逃し用切欠部分４５が半径外方向に形成されている。この切欠部分４５は、本実施例では小切欠である。なお、細部的事項であるが、本実施例では、摺接部分４２の一側上面に仕様態様を確認するための目印Ｍが付されている。
【００３２】
（５）カバー１４Ａ
カバー１４Ａはキャップ状に形成されている。５１はカバー部分、５２はハンドル１０Ａの取付け軸部３２Ａが嵌合する中心孔、そして、５３は可動体４１の外端部分４３が自由に移行することができる切欠状の開口５３である。この開口５３の形状は、可動体４１が切換え機能を発揮することができるのであれば、その形状や大きさは特に問わない。なお、５４はカバー部分５１の適宜箇所に形成した覗き窓である。
【００３３】
（６）片面的仕様態様への切換え
図７及び図８は、前述したように、本来的なプッシュプル仕様（図７）から片面的仕様態様（図８）に切り替える場合の概念的な説明図である。
【００３４】
図７から明らかなように、本来的なプッシュプル仕様の場合には、可動体４１の逃し用切欠部分４５は、ハンドル１０Ａの取付け軸部３２Ａの係合部分１７ａを受け入れる、或いは逃すことができるように位置していることから、ハンドル１０Ａを矢印で示すように内外へ操作（プッシュプル）することができる。
【００３５】
これに対して、仕様態様の切替え時、可動体４１の外端部分４３を、例えば指で操作すると、可動体４１が回転して、該可動体の逃し用切欠部分４５が位置変位すると共に、切欠部分４５付近の障害部分（実施例では、内周４２ｂの縁部）４６がハンドルの取付け軸部の係合部分１７ａに重なる（塞がる）ように位置することから、図８で示すように片面的仕様態様（実施例では、プッ仕様）に切り替わる。
【実施例】
【００３６】
本実施例では、少なくとも一方のハンドル（例えば内側のハンドル）３２Ａの支持座４Ａとカバー１４Ａとの間に可動体４１を介在させているが、これは一実施例であって、これに限定されるものではない。
【００３７】
また、本発明は、可動体４１を切換えることにより、その障害部分４６がハンドル１０Ａの係合部分１７ａに対して邪魔（障害）になれば良いので、可動体４１をカバー１４Ａに内装した場合には、外端部分（操作部分）４３に連設する摺接部分４２は、支持座４Ａの環状部２３内に位置していても良いし、或いは支持座４Ａの裏側の側面（扉の内壁面側）に位置していても良い。
【００３８】
さらに、本発明の構成に、可動体を操作した時に所定の位置に止めるためのクリック機構（例えばクリックボール、クリックバネ、凸部と凹部などの係合構成）を限定しても良い。
【００３９】
以下、この欄では、本発明の第２実施例乃至第４実施例を説明する。なお、第２実施例は、可動体の設計変更例なので、主たる構成部材のみを示し、また、主たる構成部材には第２実施例と同様の符号を付すことにする。また、第３実施例は、操作片に相当する可動体が存在せず、カバー１４Ｂ自体に可動体４１に相当する機能を持たせたものであから、図４と同様の図面（図１１）を作成し、第３実施例の詳細等は割愛する。さらに、第４実施例は第３実施例の置換可能な変形例なので、簡単に説明する。
【００４０】
図９及び図１０は、概念的に説明図である。可動体４１Ａは、例えば普通一般のスイッチ片の如く、短い長板状、或いは長杆状に形成され、支持座４Ａの外壁面（この実施例）又はカバー１４Ａの内壁面のいずれかに支軸４７を介して軸支されている。したがって、長板状の可動体４１Ａの符号４３は外端部、符号４６Ａは内端部の障害部分に相当する。
【００４１】
この実施例の場合、開口５３は適宜に形成する。このように構成し、可動体４１Ａの外端部分４３を外部から操作すると、障害部分４６Ａが位置変位するので、第１実施例と同様の目的及び効果を得ることができる。
【００４２】
図１１及び図１２に示した第３実施例が、第１実施例と主に異なる点は、カバー１４Ｂ自体に可動体４１に相当する機能を持たせたことである。
【００４３】
まず、図１２を参照にして、カバー１４Ｂの各部位に符号を付す。５１Ｂは環状のカバー部分、５２Ｂはカバー部分の上面に形成されたハンドル取付け軸部用の中心孔、４５Ｂは該中心孔５２Ｂの内周から半径外方向に形成されたハンドルの係合部分逃し用切欠部分、４６Ｂはカバーの内周部に相当する障害部分である。障害部分４６Ｂは、前記逃し用切欠部分４５Ｂの付近に相当する。
【００４４】
その他、図１１で示すように、カバー１４Ｂのカバー部分５１Ｂの周側壁の内壁面には、支持座４Ｂの環状部２３の外周に形成した周方向の係合溝２３ａに係合する複数個の係合小突起５５が設けられている。したがって、この実施例の場合、カバー１４Ｂは、案内手段（係合溝２３ａ，係合小突起５５）を介して所定量回転可能である。換言すれば、カバー１４Ｂは手の操作力により、摩擦しながら（係合状態で）回転可能である。
【００４５】
上記構成に於いて仕様態様の切替え時、カバー１４Ｂを手で所定量回して、該カバーの逃し用切欠部分４５Ｂが位置変位すると共に、カバーの内周部に相当する障害部分４６Ｂがハンドル１０Ｂの前記取付け軸部に設けた係合部分１７ａに重なるように位置し、本来的なプッシュプル仕様から片面的仕様態様に切り替わる。このように構成しても、第１実施例と同一の目的・効果を達成することができる。
【００４６】
なお、第３実施例に於いて、「カバーを手で所定量回して」の態様には、実施例のようにカバー１４Ｂを手で摘んでそのまま回す他、カバー１４Ｂが図示しない固着具を介して支持座４Ｂに固定されている場合には、該固着具を取り外した後に適宜にカバー１４Ｂの取付け位置を変える場合も含まれる。
【００４７】
図１３に示した第４実施例が第１実施例と主に異なる点は、第３実施例と同様に、カバー１４Ｃ自体に可動体４１に相当する機能を持たせたことである。このカバー１４Ｃは、帯状の外周ではなく、正面側に位置する円盤状の外壁面の中央部に形成されたハンドル用中心孔５２Ｃを非円形状に形成し、この中心孔５２Ｃの非真円形状を形成する内周部の障害部分４６Ｃがハンドル１０Ａの係合部分１７ａに対して障壁となる。
【００４８】
すなわち、図１３の左側の概略図で示すように、ハンドル１０Ａの係合部分１７ａがハンドルの取付け軸部３２Ａの外形寸法よりも大きな内径寸法の中心孔５２Ｃ内に位置する（係合部分１７ａに障害部分４６Ｃが対向しない）場合には、ハンドル１０Ａを矢印で示すように「プッシュ」及び「プッシュ」操作をすることができる。
【００４９】
しかしながら、仕様態様の切替え時、該カバー１４Ｃを手で所定量回して、該カバー１４Ｃの非真円形状の中心孔５２Ｃが位置変位すると共に、該中心孔５２Ｃの非真円形状を形成する障害部分４６Ｃがハンドルの取付け軸部に設けた係合部分１７ａに重なるように位置すると、本来的なプッシュプル仕様から片面的仕様態様に切り替わる。なお、この実施例の場合には、「プッシュ」はできるが、「プル」ができないので、発明の目的との関係では、好ましい実施例ではない。
【産業上の利用可能性】
【００５０】
本発明は、主に錠前や建具の業界で利用される。
【図面の簡単な説明】
【００５１】
図１乃至図３は本発明が援用する従来の一例を示す各説明図。図４乃至図８は本発明の最良の実施例を示す各説明図（第１実施例）。図９及び図１０は本発明の可動体の設計変更例を示す概念的説明図（第２実施例）。図１１及び図１２は本発明の可動体の設計変更例を示す概念的説明図（第３実施例）、図１４は本発明の第３実施例を示す概略説明図。
【図１】概略断面説明図（平面側から見ている）。
【図２】図１に於いて、支持座とハンドル等の関係を示す分解的説明図。
【図３】ハンドルの仕様態様を示す概略説明図。
【図４】図１と同様の概略断面説明図。
【図５】取付け軸部、カバー等を斜視図で示した概略説明図。
【図６】主たる部材の分解斜視図。
【図７】ハンドルの仕様態様を示す概念的説明図。
【図８】片面的仕様態様（実施例では、プッシュ仕様）に切り替えた概念的説明図。
【図９】可動体の設計変更例（プッシュプル仕様）を示す第２実施例の概念的説明図。
【図１０】片面的仕様態様（実施例では、プッ仕様）に切り替えた概念的説明図。
【図１１】第３実施例の図４と同様の概略断面説明図。
【図１２】カバー体の斜視図。
【図１３】本発明の第３実施例を示す概略説明図。
【符号の説明】
【００５２】
３…錠箱、４Ａ，４Ｂ…支持座、５…支持座、７，８…揺動片（揺動軸）、９…支持軸、１０Ａ，１０Ｂ…ハンドル（内側）、３２Ａ…取付け軸部、１１…ハンドル（外側）、１２，１３…摺動体、１４Ａ，１４Ｂ，１４Ｃ…カバー（内側）、１５…カバー（外側）、１７…係合鍔、１７ａ…係合部分、２３…環状部、２３ａ…環状部の係合溝、３３…支軸用貫通小孔、４１，４１Ａ…可動体、４２…摺接部分、４３…外端部分、４４…遊嵌合孔、４５，４５Ｂ…逃し用切欠部分、４６，４６Ｂ，４６Ｃ…障害部分、４７…支軸、５３…開口、５１，５１Ｂ…カバー部分、５２，５２Ｂ，５２Ｃ…中心孔、５５…係合小突起。
【図１】
0004638326.tif 000002
【図２】
0004638326.tif 000003
【図３】
0004638326.tif 000004
【図４】
0004638326.tif 000005
【図５】
0004638326.tif 000006
【図６】
0004638326.tif 000007
【図７】
0004638326.tif 000008
【図８】
0004638326.tif 000009
【図９】
0004638326.tif 000010
【図１０】
0004638326.tif 000011
【図１１】
0004638326.tif 000012
【図１２】
0004638326.tif 000013
【図１３】
0004638326.tif 000014